(57)【特許請求の範囲】
【請求項１】
複数の電池セルと、
該複数の電池セルを該電池セルの一部が外部に露出した状態で保持する保持ケースと、
前記電池セルに押接されて前記電池セルの温度を検出する温度検出センサと、
前記保持ケースに設けられて、前記温度検出センサを前記電池セルの外部露出部に押接させた状態に保持するセンサ保持部と、
前記保持ケースに取り付けられる電圧検出基板と、
を有し、
前記保持ケースは、該保持ケースのケース内部に前記電池セルが露出して冷媒が通過する冷却通路を有し、
前記温度検出センサは、
前記電池セルの外部露出部に対向して配置されるセンサ本体と、
該センサ本体から延出して前記電池セルの外部露出部に向かって付勢する弾性片と、
前記電圧検出基板に接続可能なコネクタと、
を有し、
前記電圧検出基板に前記コネクタを接続することで、制御装置に接続されたセンサ線に前記温度検出センサが前記電圧検出基板を介して接続されることを特徴とする電池ブロック。
【請求項２】
前記複数の電池セルは円筒形状を有し、前記保持ケースは前記複数の電池セルを並列に並べて前記電池セルの端面を外部に露出させた状態で保持しており、前記電池セルの端面に導電部材が接合されて、前記電池セルの端面で且つ前記導電部材の側方に前記電池セルの外部露出部が形成されていることを特徴とする請求項１に記載の電池ブロック。
【請求項３】
請求項１又は請求項２に記載の電池ブロックを収容した二次電池モジュール。
【請求項４】
筐体と、
前記筐体に収容されて互いに隣接して並置された複数の前記電池ブロックと、
前記筐体に収容されて複数の前記電池ブロックに並置された前記制御装置と、
前記電池ブロックが備える前記電圧検出基板の電圧検出回路を前記制御装置に接続する電圧検出線と、
前記電圧検出線及び前記センサ線をガイドするハーネスガイドと、
を有することを特徴とする請求項３に記載の二次電池モジュール。
【請求項５】
複数の前記電池ブロックは、前記保持ケースの長手方向同士が平行となるように配置され、
前記保持ケースは、前記長手方向の両端部に前記冷却通路に冷媒を流通させるための冷媒流通口を有し、
前記筐体は、前記保持ケースの一方の前記端部に対向する壁部に一方の前記冷媒流通口に対向する吸気口と、前記保持ケースの他方の前記端部に対向する壁部に他方の前記冷媒流通口に対向する排気口と、を有し、
前記センサ保持部は、前記保持ケースの側面に露出する前記電池セルの端面に対向する位置に設けられていることを特徴とする請求項４に記載の二次電池モジュール。
【請求項６】
前記センサ保持部は、前記保持ケースの一方の側面と他方の側面にて、それぞれ前記長手方向に離れて対をなして設けられ、
前記温度検出センサは、前記長手方向に離れて対をなす２つの前記センサ保持部のうち、いずれか一方に選択的に配置されることを特徴とする請求項５に記載の二次電池モジュール。
【発明の詳細な説明】
【技術分野】
【０００１】
本発明は、複数の電池セルを保持した電池ブロック及び二次電池モジュールに関する。
【背景技術】
【０００２】
特許文献１には、電池ユニットの電池温度を検出する温度センサを収容したセンサ容器を有する電源装置の技術が示されている。センサ容器は、エンドプレートの樹脂内にインサート成形されている。
【先行技術文献】
【特許文献】
【０００３】
【特許文献１】特開２００４−３６２９５８号公報
【発明の概要】
【発明が解決しようとする課題】
【０００４】
ところで、前記特許文献１に記載の電池モジュールでは、電池ユニットとセンサ容器の温度センサの接触方法について記載されてなく、伝熱効率の悪化のおそれがあった。また、温度センサのセンサ容器での固定方法について記載されてなく、伝熱効率の悪化のおそれがあった。そして、センサ容器から引き出されたリード線がどこにどのように処理、接続されるかについて記載されてなく、組立作業効率の悪化のおそれがあった。【０００５】
本発明は、このような問題に鑑みてなされたものであって、その目的とするところは、温度センサの伝熱効率の悪化を防ぎ、かつ組み立て作業効率の良い電池ブロックと、この電池ブロックを収容した二次電池モジュールを提供することにある。
【課題を解決するための手段】
【０００６】
上記課題を解決する本発明の電池ブロックは、複数の電池セルと、該複数の電池セルを該電池セルの一部が外部に露出した状態で保持する保持ケースと、前記電池セルに押接されて前記電池セルの温度を検出する温度検出センサと、前記保持ケースに設けられて、前記温度検出センサを前記電池セルの外部露出部に押接させた状態に保持するセンサ保持部とを有することを特徴としている。
【発明の効果】
【０００７】
本願発明によれば、温度センサへの伝熱効率の悪化を防ぎ、かつ組み立て作業効率の良い電池ブロックを得ることができる。なお、上記した以外の課題、構成及び効果は、以下の実施形態の説明により明らかにされる。
【図面の簡単な説明】
【０００８】
【図１】本発明に係る電池ブロックを用いた二次電池モジュールの一実施形態の外観構成を示し、（ａ）は左前方から見た斜視図、（ｂ）は右前方から見た斜視図。
【図２】図１の二次電池モジュールの分解斜視図。
【図３】図１の二次電池モジュールに収容される電池ブロックの配置状態を示す模式図。
【図４】（ａ）は図１の二次電池モジュールに収容される電池ブロックの斜視図、（ｂ）はその面構成と冷媒流通口を示す模式図。
【図５】図１の二次電池モジュールに収容される他の電池ブロックの斜視図。
【図６】図４の電池ブロックの分解斜視図。
【図７】図４の電池ブロックの分解断面図。
【図８】図４の電池ブロックの導電部材を分解し電圧検出基板を組み込む前の状態を示す分解斜視図。
【図９】図４の電池ブロックの要部断面図。
【図１０】図４の電池ブロックの保持部の詳細を示す要部断面図。
【図１１】図９の保持部の要部正面図。
【図１２】図４の電池ブロックの締結手段と位置決め手段を示し、（a）は締結状態の断面図、（b）は締結前の状態の断面図。
【図１３】（a）は図４、図５の電池ブロックを下ケースに収容する動作状態を示す模式図、（ｂ）は収容後の要部断面図。
【図１４】電圧検出基板が取り付けられた電池ブロックの斜視図。
【図１５】電圧検出基板が取り外された一つの電池ブロックの斜視図。
【図１６】電圧検出基板が取り外された他の一つの電池ブロックの斜視図。
【図１７】電池ブロックのセンサ保持部における縦断面図。
【図１８】図１７のＤ部を拡大して示す図。
【図１９】センサ保持部に温度検出センサを保持した状態を示す横断面図。
【図２０】温度検出センサの取付方法を説明する図。
【図２１】温度検出センサの取付状態を示す斜視図。
【図２２】電圧検出基板の取付状態を示す斜視図。
【図２３】図２２のＥ方向矢視図。
【発明を実施するための形態】
【０００９】
以下、本発明に係る電池ブロックを用いた二次電池モジュールの一実施形態を図面に基づき詳細に説明する。
【００１０】
本実施の形態では、二次電池モジュールの一例として、リチウムイオンバッテリ装置の場合について説明する。本実施の形態に係わるリチウムイオンバッテリ装置は、電動車両、例えば電気自動車の電動機駆動システムにおける車載電源装置に適用されるものである。この電気自動車の概念には、内燃機関であるエンジンと電動機とを車両の駆動源として備えたハイブリッド電気自動車、および電動機を車両の唯一の駆動源とする純正電気自動車等が含まれる。
【００１１】
まず、図１〜図３を用いて、リチウムイオンバッテリ装置の全体構成について説明する。図１は、リチウムイオンバッテリ装置の外観構成の斜視図を示し、（ａ）は左前方から見た状態、（ｂ）は右前方から見た状態を示し、図２は、図１の二次電池モジュールの分解斜視図、図３は電池ブロックの配置状態を示す模式図である。なお、以下の説明では、リチウムイオンバッテリ装置の取り付け位置や方向にかかわらず、冷却空気の上流側を前側、冷却空気の下流側を後側として説明する。
【００１２】
リチウムイオンバッテリ装置１は、モジュール筐体２内に電池ユニット３と制御ユニット４の二つを収容した構成を有している。モジュール筐体２は、図１及び図２に示すように、平面状に広がる横長矩形のボックス形状を有しており、上方が開口し収容空間を有する下ケース１１と、下ケース１１の上部開口を閉じる上蓋１２によって構成されている。下ケース１１は、所定深さを有する浅皿形状を有し、上蓋１２は、下ケース１１の上部を閉塞する平板形状を有している。上蓋１２及び下ケース１１は、金属製の薄板をプレス加工等することによって形成されている。下ケース１１は、モジュール筐体２の前後方向に離間して対峙する筐体前壁部２１と筐体後壁部３１を有している。筐体前壁部２１と筐体後壁部３１には、冷媒である冷却空気を電池ブロック４０内に流通させるための吸気口２２と排気口３２が設けられている。図示の例では吸気口２２及び排気口３２は、収容される３つの電池ブロックに合わせてそれぞれ３個ずつ形成されている。
【００１３】
モジュール筐体２内には、モジュール筐体２の横方向一方側に電池ユニット３を収容する電池ユニット収容エリア２Ａが形成されており、横方向他方側に制御ユニット４を収容する制御ユニット収容エリア２Ｂが形成されている。
【００１４】
電池ユニット３は、第１電池ブロック４１、第２電池ブロック４２、第３電池ブロック４３の３個の電池ブロック４０を有している。各電池ブロック４１〜４３は、長軸のブロック形状を有しており、長手方向同士が平行となるように互いに隣接して並列に配置される。本実施の形態では、下ケース１１内でモジュール筐体２の前後方向に延在するように収容され、制御ユニット収容エリア２Ｂから離反する方向に向かって第１電池ブロック４１、第２電池ブロック４２、第３電池ブロック４３の順番に並べて配置される。
【００１５】
各電池ブロック４１〜４３には、長手方向両側に分かれた部位に、図３の模式図に示すように、正極端子４１Ａ〜４３Ａと負極端子４１Ｂ〜４３Ｂが設けられている。本実施の形態では、第１電池ブロック４１と第２電池ブロック４２は、第１電池ブロック４１の正極端子４１Ａ側の端部と第２電池ブロック４２の負極端子４２Ｂ側の端部とが対向し、かつ、第１電池ブロック４１の負極端子４１Ｂ側の端部と第２電池ブロック４２の正極端子４２Ａ側の端部とが対向するように並列に配置される。
【００１６】
そして、第２電池ブロック４２と第３電池ブロック４３は、第２電池ブロック４２の負極端子４２Ｂ側の端部と第３電池ブロック４３の正極端子４３Ａ側の端部とが対向し、かつ、第２電池ブロック４２の正極端子４２Ａ側の端部と第３電池ブロック４３の負極端子４３Ｂ側の端部とが対向するように並列に配置される。
【００１７】
そして、第１電池ブロック４１の負極端子４１Ｂと第２電池ブロック４２の正極端子４２Ａの間、及び、第２電池ブロック４２の負極端子４２Ｂと第３電池ブロック４３の正極端子４３Ａの間が、図示していないバスバーによって電気的に接続される。第２電池ブロック４２と第３電池ブロック４３との間は、ＳＤ（サービスディスコネクト）スイッチ５３によって両者間を電気的に接続または遮断できるようなっている。ＳＤスイッチ５３は、リチウムイオンバッテリ装置１の保守、点検の時の安全性を確保するために設けられた安全装置であり、スイッチとヒューズとを電気的に直列に接続した電気回路から構成され、サービスマンによって保守、点検時に操作される。
【００１８】
第１電池ブロック４１の正極端子４１Ａから第３電池ブロック４３の負極端子４３Ｂの６つの外部端子は、モジュール筐体２の上部を横方向に延在する２つのハーネスガイド５４Ａ，５４Ｂ（詳細は後述する）を介して、各電池ブロックが直列に接続されると共に、制御ユニット４の図示していない外部端子に接続される。電池ブロック４０は、その長手方向の側面に沿って配置された２枚の電圧検出基板２０１、２０２と温度検出センサ４５を有しており、それぞれハーネスガイド５４Ａ、５４Ｂ内に配線された図示していない電圧検出線とセンサ線によって制御ユニット４の制御装置（図示せず）に接続されている。
【００１９】
電池ブロック４０は、図４に示すように、保持ケース１１１内に複数の電池セル１０１を保持した構成を有しており、本実施の形態では、上下２層に電池セル１０１が配列されている。保持ケース１１１は、図４に示すように、長軸の六面体形状を有しており、上下方向に離間して対向し略一定幅で長手方向に延在する上面部１１２と下面部１１３、短手方向に離間して対向し上面部１１２と下面部１１３の各長辺部間に亘る一対の縦壁面部１１４、１１４、長手方向に離反して対向し上面部１１２、下面部１１３、一対の縦壁面部１１４、１１４の各短辺部間に亘る一対の端面部１１５、１１５を有する。
【００２０】
保持ケース１１１の長手方向の両端部には、電池ブロック４０内に冷媒を流通させるための冷媒流通口が設けられている。冷媒流通口として、例えば、保持ケース１１１の長手方向両側の端面部１１５、１１５に、開口部１１６、１１８が設けられており、冷却空気を保持ケース１１１内に導入するための冷媒導入口と、保持ケース１１１内を通過した冷却空気を保持ケース１１１外に導出するための冷媒導出口とされる。そして、保持ケース１１１の内部には、冷媒導入口から保持ケース１１１内に冷却空気を流入させて、保持ケース１１１内を長手方向に亘って流通させ、冷媒導出口から流出させることができるように冷却通路が形成される。
【００２１】
電池ブロック４０は、モジュール筐体２内に収容された状態で、筐体前壁部２１に保持ケース１１１の前側の端面部１１５が対向して配置され、端面部１１５の開口部１１６と１１８のいずれか一方が冷媒導入口として筐体前壁部２１の吸気口２２と対向する。そして、筐体後壁部３１に保持ケース１１１の後側の端面部１１５が対向して配置され、後端面部１１５の開口部１１６と１１８のいずれか他方が冷媒導出口として筐体後壁部３１の排気口３２と対向する。
【００２２】
モジュール筐体２内において、筐体前壁部２１とケース前端面部１１５とが当接され、筐体後壁部３１とケース後端面部１１５とが当接されて、ケース前端面部１１５の冷媒導入口と筐体前壁部２１の吸気口２２とが連通状態とされると共に、ケース後端面部１１５の冷媒導出口と筐体後壁部３１の排気口３２とが直接連通した状態とされる。かかる状態では、筐体前壁部２１とケース前端面部１１５との間、及び筐体後壁部３１とケース後端面部１１５との間が密着されており、モジュール筐体２内のガスが漏れ入るのを防止できる。さらに、筐体前壁部２１とケース前端面部１１５との間、及び筐体後壁部３１とケース後端面部１１５との間に、シール材を介在させてもよい。
【００２３】
このため、モジュール筐体２の吸気口２２を通して導入された空気等の冷媒は、電池ブロック４０の冷媒導入口を通りブロック内に導入され、冷媒導出口を通って、モジュール筐体２の排気口３２から排出され、電池ブロック４０の内部に配列された複数の電池セル１０１を冷却することができる構成となっている。
【００２４】
そして、ケース前端面部１１５と筐体前壁部２１の吸気口２２との間の上部に形成された空間領域と、ケース後端面部１１５と筐体後壁部３１の排気口３２との間の上部に形成された空間領域を配線通路として利用し、これらの空間領域にハーネスガイド５４Ａ，５４Ｂを配置して第１〜第３電池ブロック４１〜４３と制御ユニット４との間を接続する配線が通される。ハーネスガイド５４Ａ，５４Ｂに通される配線としては、第３電池ブロック４３の負極端子４３Ｂと制御ユニット４との間を接続するハーネス、各電池ブロック４１〜４３の電圧の検出信号を制御ユニット４に送信する電圧検出線、温度検出センサ４５の検出信号を制御ユニット４に送信するセンサ線等が含まれる。
【００２５】
＜電池ブロック＞
次に、本実施の形態における電池ブロックの構成について図４から図８を用いて詳細に説明する。図４は、図１の二次電池モジュールに収容される電池ブロックの斜視図と、その面構成と冷媒流通口を示し、図５は、図１の二次電池モジュールに収容される他の電池ブロックの斜視図、図６は、図４の電池ブロックの分解斜視図、図７は図４の電池ブロックの分解断面図、図８は図４の電池ブロックの導電部材を分解し電圧検出基板を組み込む前の状態を示す分解斜視図である。
【００２６】
電池ブロック４０のうち、第１電池ブロック４１と第３電池ブロック４３は、正極端子４１Ａ、４３Ａと負極端子４１Ｂ、４３Ｂの位置が互いに同じとなるように並んでモジュール筐体２内に配置される。一方、第２電池ブロック４２は、第１電池ブロック４１及び第３電池ブロック４３との間で、正極端子４２Ａと負極端子４２Ｃの位置が第１電池ブロック４１及び第３電池ブロック４３と反対になる向きに配置される。
【００２７】
第１〜第３電池ブロック４１〜４３は、基本的には３つとも、外観形状は同一構成であるが、第１電池ブロック４１と第３電池ブロック４３は、１４個の電池セル１０１を有する構成であり、第２電池ブロック４２は１２個の電池セル１０１と２個のダミーセル１０２を有する構成となっている。
【００２８】
第１電池ブロック４１と第３電池ブロック４３は、１４個の電池セル１０１が配列され、隣接する電池セル１０１の正極と負極とを導電部材１９１で斜めに接続し、最初の電池セル１０１と最後の電池セル１０１にそれぞれ外部引出し端子が接続されて、正極端子４０Ａ（４１Ａ，４３Ａ）と負極端子４０Ｂ（４１Ｂ，４３Ｂ）に接続されている。
【００２９】
第２電池ブロック４２は、１４個のスペースがあるため２個のダミーセル１０２が端部に配列されスペースを埋めている。第２電池ブロック４２では、１２個の電池セル１０１について互いに隣接する正極と負極との間を導電部材１９１で接続しているが、ダミーセル１０２と隣接する最後の電池セル１０１では、図５に示すように、ダミーセル１０２をバイパスする形状の外部引出し端子４２Ｃが接続されている。外部引出し端子４２Ｃは、下段の電池セル１０１の電極から斜め上のダミーセル１０２に向かって引き出され、第２電池ブロック４２の高さ方向中央位置で折曲されて第２電池ブロック４２の長手方向外側に向かって延出し、第２電池ブロック４２の端部で、負極端子４２Ｂに接続されている。このため、ダミーセル１０２を有する第２電池ブロック４２でも、第１、第３電池ブロック４１、４３と同様に、第２電池ブロック４２の端部位置に、外部端子を配置することができ、複数の電池ブロック４０の収容、組立を同じ工程で行うことができる。なお、負極端子４２Ｂは、正極側の端子でもよい。
【００３０】
電池ブロック４０は、保持ケース１１１内に複数本の電池セル１０１を保持し、各電池セル１０１を導電部材によって電気的に直列に接続することによって組電池とする構成を有する。電池セル１０１には、リチウムイオン電池セルが用いられている。
【００３１】
電池セル１０１は、円柱形状の構造体であり、電解液が注入された電池容器の内部に電池素子および安全弁等の構成部品が収納されて構成されている。正極側の安全弁は、過充電などの異常によって電池容器の内部の圧力が所定の圧力になったときに開裂する開裂弁である。安全弁は、開裂によって電池蓋と電池素子の正極側との電気的な接続を遮断するヒューズ機構として機能するとともに、電池容器の内部に発生したガス、すなわち電解液を含むミスト状の炭酸系ガス（噴出物）を電池容器の外部に噴出させる減圧機構として機能する。
【００３２】
電池容器の負極側にも開裂溝が設けられており、過充電などの異常によって電池容器の内部の圧力が所定の圧力になったときに開裂する。これにより、電池容器の内部に発生したガスを負極端子側からも噴出させることができる。リチウムイオン電池セル１０１の公称出力電圧は３．０〜４．２ボルト、平均公称出力電圧は３．６ボルトである。
【００３３】
保持ケース１１１は、電池セル１０１の中心軸が保持ケース１１１の短手方向である一対の端面部１１５、１１５間に沿って延在するように電池セル１０１を横倒にして複数本並列に配置した電池セル配列体１０３とし、その電池セル配列体１０３を、積層配置した状態で保持する構成を有している。
【００３４】
下層の電池セル配列体１０３Ｌと上層の電池セル配列体１０３Ｕは、互いに列方向に偏位させた状態で保持され、本実施の形態では、保持ケース１１１の長手方向に半個分だけずれた状態で保持される。すなわち、下層の電池セル配列体１０３Ｌの配列ピッチと上層の電池セル配列体１０３Ｕの配列ピッチは同じに設定され、上下の配列体同士で半ピッチずれて配列されている。このように、下層の電池セル配列体１０３Ｌと上層の電池セル配列体１０３Ｕとを列方向に偏位させた状態で保持することにより、下層の電池セル配列体１０３Ｌと上層の電池セル配列体１０３Ｕを互いに接近させることができ、列方向に直交する方向の寸法を短くすることができる。したがって、組電池全体としての高さ方向を低くでき、電池ブロック４０の高さを低くすることができる。
【００３５】
下層の電池セル配列体１０３Ｌと上層の電池セル配列体１０３Ｕは、各電池セル１０１の正極と負極の向きが逆向きになるように配列され、下層の電池セル配列体１０３Ｌは、各電池セル１０１の正極が、保持ケース１１１の短手方向一方側に位置し、上層の電池セル１０３Ｕは、各電池セル１０１の負極が、保持ケースの短手方向他方側に位置するように保持されている。
【００３６】
保持ケース１１１は、下保持枠部材１２１と中保持枠部材１３１と上保持枠部材１４１の３つの部材からなり、下保持枠部材１２１と中保持枠部材１３１により下層の電池セル配列体１０３Ｌを挟み込んで保持し、中保持枠部材１３１と上保持枠部材１４１により上層の電池セル配列体１０３Ｕを挟み込んで保持する構成を有する。
【００３７】
保持ケース１１１は、組み立て状態において、ケース内部に、各電池セル１０１が露出して長手方向に延在する冷却通路が形成され、保持ケース１１１の一対の端面部１１５、１１５には、通路部の両端部にそれぞれ連通する開口部１１６、１１８が形成される。すなわち、上下に配列された各電池セル１０１は、その外周面同士の間に互いに僅かな隙間が形成され、この隙間を冷媒として、一方の開口部１１６から入り、他方の開口部１１８から出る空気が流れることで電池セルを冷却する構成となっている。
【００３８】
各開口部１１６、１１８は、電池ブロック４０をモジュール筐体２内に装着する方向によって、すなわち、電池ブロック４０を第１電池ブロック４１または第２電池ブロック４２のいずれに用いるかに応じて、一方の開口部１１６が冷媒導入口又は冷媒導出口となり、他方の開口部１１８が冷媒導出口又は冷媒導入口となる（図３〜図５を参照）。本実施の形態では、第１電池ブロック４１は、正極端子４１Ａ側の開口部１１６が冷媒導入口、負極端子４１Ｂ側の開口部１１８が冷媒導出口となり、第２電池ブロック４２は、負極端子４２Ｂ側の開口部１１８が冷媒導入口、正極端子４２Ａ側の開口部１１６が冷媒導出口となる。
【００３９】
図５、図６に示すように、下保持枠部材１２１は、一定の横幅で延在する平板状の下面部１２２と、下面部１２２の短手方向両側端から上方に起立して対峙する一対の下縦壁面部１２３、１２３を有する。下保持枠部材の下面部１２２は、保持ケース１１１の下面部１１３を構成し、下縦壁面部１２３、１２３は、保持ケース１１１の縦壁面部１１４、１１４の下方部分を構成する。
【００４０】
一対の下縦壁面部１２３、１２３には、下層の電池セル配列体１０３Ｌを構成する電池セル１０１の下側部分をそれぞれ保持する下層下保持部１２４と、下層下保持部に保持された電池セル１０１の中心軸方向両側の端面をそれぞれ露出させる開口窓部１２５が設けられている。各下層下保持部１２４は、電池セル１０１の端部の外周面に接面するように下縦壁面部１２３、１２３の上辺部から下面部１２２に向かって半円弧状に切り欠かれた下層下凹陥面と、電池セル１０１の中心軸方向の端面に対向する対向面を有しており、後述する中縦壁面部１３２、１３２の下層上保持部１３４との協働により、電池セル１０１をその中心軸方向と径方向への移動を規制した状態で下層の電池セル配列体１０３Ｌを保持する下保持部を構成する。
【００４１】
開口窓部１２５は、下縦壁面部１２３、１２３に開口して形成されており、下層下保持部１２４に保持された電池セル１０１の端面の中央部分を、保持ケース１１１の側方に露出させることができるようになっている。
【００４２】
中保持枠部材１３１は、一定の高さ幅で延在して互いに対向する一対の中縦壁面部１３２、１３２と、中縦壁面部１３２、１３２の長手方向両端の短辺部間に亘って設けられる一対の端面部１３３、１３３を有する。中保持枠部材１３１は、下保持枠部材１２１の上に重ねて結合することによって、下保持枠部材１２１の各下縦壁面部１２３、１２３の上部に各中縦壁面部１３２、１３２が連続して接続され、保持ケース１１１の縦壁面部１１４、１１４の高さ方向中央部分を構成する。そして、中保持枠部材１３１、１３１の各端面部１３３、１３３は、保持ケース１１１の各端面部１１５、１１５を構成し、開口部１１６、１１８が形成される。
【００４３】
一対の中縦壁面部１３２、１３２には、下保持枠部材１２１に保持された電池セル１０１の上側部分をそれぞれ保持する下層上保持部１３４と、上層の電池セル配列体を構成する電池セル１０１の下側部分をそれぞれ保持する上層下保持部１３６が設けられている。そして、下層上保持部１３４に保持された電池セル１０１の中心軸方向両側の端面と、上層下保持部１３６に保持された電池セル１０１の中心軸方向両側の端面をそれぞれ露出させる開口窓部１３５、１３７が設けられている。
【００４４】
各下層上保持部１３４は、電池セル１０１の端部の外周面に接面するように中縦壁面部１３２の下辺部から上辺部に向かって半円弧状に切り欠かれた下層上凹陥面と、電池セル１０１の中心軸方向の端面に対向する対向面を有しており、下保持枠部材１２１の下層下保持部１２４との協働により、電池セル１０１の中心軸方向と径方向への移動を規制した状態で下層の電池セル配列体１０３Ｌを保持する下保持部を構成する。
【００４５】
各上層下保持部１３６は、電池セル１０１の端部の外周面に接面するように中縦壁面部１３２の上辺部から下辺部に向かって半円弧状に切り欠かれた上層下凹陥面と、電池セル１０１の中心軸方向の端面に対向する対向面を有しており、後述する上保持枠部材１４１の上層上保持部１４４との協働により、電池セル１０１の中心軸方向と径方向への移動を規制した状態で上層の電池セル配列体１０３Ｕを保持する上保持部を構成する。
【００４６】
各下層上保持部１３４と各上層下保持部１３６は、下層の電池セル配列体１０３Ｌと上層の電池セル配列体１０３Ｕを互いに列方向に偏位させた状態で保持するために、互いに中保持枠部材１３１の長手方向に半個分だけずれた位置に配置されており、互いに隣り合う下層上保持部１３４の間に、上層下保持部１３６の中心が位置するようになっている。そして、中縦壁面部１３２の高さが、電池セル１０１の直径よりも短くなるように構成されている。
【００４７】
上保持枠部材１４１は、一定の横幅で延在する平板状の上面部１４２と、上面部１４２の短手方向両側端から下方に垂下して対峙する一対の上縦壁面部１４３、１４３を有する。上保持枠部材１４１の上面部１４２は、保持ケース１１１の上面部１１２を構成し、上縦壁面部１４３、１４３は、保持ケース１１１の縦壁面部１１４の上方部分を構成する。
【００４８】
一対の上縦壁面部１４３、１４３には、上層の電池セル配列体１０３Ｕを構成する電池セル１０１の上側部分をそれぞれ保持する上層上保持部１４４と、上層上保持部１４４に保持された電池セル１０１の中心軸方向両側の端面をそれぞれ露出させる開口窓部１４５が設けられている。
【００４９】
各上層上保持部１４４は、電池セル１０１の端部の外周面に接面するように上縦壁面部１４３、１４３の下辺部から上面部１４２に向かって半円弧状に切り欠かれた上層上凹陥面と、電池セル１０１の中心軸方向の端面に対向する対向面を有しており、中保持枠部材１３１の上層下保持部１３６との協働により、電池セル１０１の中心軸方向と径方向への移動を規制した状態で上層の電池セル配列体１０３Ｕを保持する上保持部を構成する。
【００５０】
開口窓部１４５は、上縦壁面部１４３、１４３に開口して形成されており、上層上保持部１４４に保持された電池セル１０１の端面の中央部分を、保持ケース１１１の側方に露出させることができるようになっている。この開口窓部１４５と、中保持枠部材１３１の開口窓部１３５で円形の開口が形成され、下保持枠部材１２１の開口窓部１２５と、中保持枠部材１３１の開口窓部１３５で円形の開口が形成され、これらの開口から露出する電池セル１０１の電極に接続用の導電部材１９１が溶接等で固着される。
【００５１】
本実施形態の電池ブロック４０では、電池ブロック４０内で円柱状の中心軸が平行になるように並べられた複数の電池セル１０１は、その外周面を対向して位置する２つの保持部材で径方向に挟んで固定されている。すなわち、下層の複数の電池セル１０１を配列した電池セル配列体１０３Ｌでは、電池セル１０１は下保持枠部材１２１と中保持枠部材１３１の２つの保持部材で上下を径方向に挟まれて保持固定され、上層の複数の電池セル１０１を配列した電池セル配列体１０３Ｕでは、電池セル１０１は中保持枠部材１３１と上保持枠部材１４１の２つの保持部材で上下を径方向に挟まれて保持固定されている。
【００５２】
ここで、３つの保持部材、すなわち下保持枠部材１２１と中保持枠部材１３１と上保持枠部材１４１と、電池セル１０１との接触部について詳細に説明する。
【００５３】
図９〜図１１において、下層の電池セル配列体１０３Ｌでは、複数の電池セル１０１に対して、下保持枠部材１２１には、電池セル１０１の外周面の半径より僅かに大きい半径の半円弧状の下層下凹陥面が形成され、この下層下凹陥面に沿って平行に略Ｍ字状の弾性変形可能の押圧部１２６が樹脂で一体的に形成されている。一方、中保持枠部材１３１には、電池セル１０１の外周面の半径より僅かに大きい半径の半円弧状の下層上凹陥面が形成され、この下層上凹陥面には２つの突起部１３８が形成されている。押圧部１２６は電池セル１０１の中心線上に形成され、２つの突起部１３８は中心線に対して対称に形成されている。上下の半円弧状の下層下凹陥面と下層上凹陥面が合わさり、円周状の凹陥面が形成され、この円周状の凹陥面で電池セル１０１の軸方向端部を径方向外側から囲むように構成されている。
【００５４】
上層の電池セル配列体１０３Ｕでも、下層の電池セル配列体１０３Ｌの場合も同様に、上保持枠部材１４１には、電池セル１０１の外周面の半径より僅かに大きい半径の半円弧状の上層上凹陥面が形成され、この上層上凹陥面に沿って平行に略Ｍ字状の弾性押圧片１４６が樹脂で一体的に形成されている。そして、中保持枠部材１３１には、電池セル１０１の外周面の半径より僅かに大きい半径の半円弧状の上層下凹陥面が形成され、この上層下凹陥面には２つの突起部１３９が形成されている。弾性押圧片１４６は電池セル１０１の中心線状に形成され、２つの突起部１３９は中心線に対して対称に形成されている。上層の電池セル１０１でも、上下の半円弧状の上層下凹陥面と上層上凹陥面が合わさり、円周状の凹陥面が形成され、この円周状の凹陥面で電池セル１０１の軸方向端部を径方向外側から囲むように構成されている。
【００５５】
図１１に示すように、下層の電池セル配列体１０３Ｌの電池セル１０１において、外周面に径方向に接触する２つの突起部１３８との接触点Ａ，Ｂ、１つの押圧部１２６で径方向内側に向かって押圧されるＣ点の３点、及び上層の電池セル配列体１０３Ｕの電池セル１０１において、外周面に径方向に接触する２つの突起部１３９と、１つの押圧部１４６で径方向内側に向かって押圧される３点は、押圧部１２６，１４６の１点（Ｃ点）に対して、このＣ点と軸心を通る中心線ＣＬを中心に、突起部１３８の２点（Ａ点、Ｂ点）が対称となる位置が好ましい。具体的には、押圧部１２６，１４６の１点を頂点とする二等辺三角形上に位置することが好ましい。あるいは、前記の３点が正三角形の頂点上に位置することでもよい。
【００５６】
この構成により、図１１に詳細に示すように、下層の複数の電池セル１０１は中保持枠部材１３１の２つの突起部１３８が外周面上部に接触し、下保持枠部材１２１の押圧部１２６が電池セル１０１の外周面を上方に押圧し、電池セル１０１の外周面を３点で３方向からバランスよく確実に保持する。
【００５７】
また、上層の複数の電池セル１０１は中保持枠部材１３１の２つの突起部１３９が外周面下部に接触し、上保持枠部材１４１の弾性押圧片１４６が電池セル１０１の外周面を下方に押圧し、電池セル１０１の外周面を３点で３方向からバランスよく確実に保持する。このため、配列された電池セル１０１の外周の直径が僅かに異なる場合でも、上下の押圧部１２６，１４６が変形して外周面の直径の公差を吸収し、電池セル１０１の直径にばらつきのある場合でも、電池セル１０１の振動を抑えて安定して保持固定することができる。また、電池セル１０１の振動が抑えられるため、電池セル１０１の正極、負極に溶接等で接続された正極端子４０Ａ、負極端子４０Ｂ等に負荷がかからず、断線や接触不具合を防止することができる。
【００５８】
押圧部１２６，１４６を下保持枠部材１２１と上保持枠部材１４１に形成し、突起部１３８，１３９を中保持枠部材１３１に形成した例を示したが、逆に形成してもよく、また、下保持枠部材１２１に２つの突起部を形成し、中保持枠部材１３１の下方に押圧部を形成し、中保持枠部材の上方に突起部を形成し、上保持枠部材１４１に下方に押圧部を形成してもよい。このように構成すると、押圧部には電池セル１０１の自重が作用せず、押圧部の耐久性を向上させることができる。
【００５９】
本実施形態の電池ブロック４０では、保持ケース１１１は、下保持枠部材１２１と中保持枠部材１３１を結合する下結合手段１５０と、中保持枠部材１３１と上保持枠部材１４１を結合する上結合手段１６０を備えている。下結合手段によって下保持枠部材１２１と中保持枠部材１３１は、下保持枠部材１２１の上に中保持枠部材１３１を重ねた状態で互いに結合され、上結合手段によって中保持枠部材１３１と上保持枠部材１４１は、中保持枠部材１３１の上に上保持枠部材１４１を重ねた状態で互いに結合される。ここで、図１２を参照してこれらの結合手段１５０，１６０について説明する。なお、２つの結合手段は略同一構成であるため、以下に上結合手段１６０について説明する。
【００６０】
図１２において、上結合手段１６０は、中保持枠部材１３１の一対の中縦壁面部１３２、１３２から側方に突出して形成された締結ボス部１６１と、上保持枠部材１４１の平板状の上面部１４２の短手方向両側端から下方に垂下して対峙する一対の上縦壁面部１４３、１４３から側方に突出して形成された締結ボス部１６２とを、上締結ねじ１６３で締め付けることにより中保持枠部材１３１の上部に上保持枠部材１４１を締結固定するものである。上保持枠部材１４１の締結ボス部１６２は、複数の電池セル１０１を支持するための上縦壁面部１４３、１４３の下辺部から上面部１４２に向かって半円弧状に切り欠かれた複数の上層上凹陥面の中間位置に形成され、上層に位置する複数の電池セル１０１間を締結ねじで締結するため、強固に締結することができる。
【００６１】
同様に、下結合手段１５０は、下保持枠部材１２１の平板状の下面部の短手方向両側端から上方に起立して対峙する一対の下縦壁面部から側方に突出して形成された締結ボス部１５１と、中保持枠部材１３１の一対の中縦壁面部から側方に突出して形成された締結ボス部１５２とを、下締結ねじ１５３で締め付けることにより下保持枠部材１２１の上部に中保持枠部材１３１を締結固定するものである。下保持枠部材１２１の締結ボス部１５１は、複数の電池セル１０１を支持するための下縦壁面部１２３、１２３の上辺部から下面部１２２に向かって半円弧状に切り欠かれた複数の下層下凹陥面の中間位置に形成され、下層に位置する複数の電池セル１０１間を下締結ねじ１５３で締結するため、強固に締結することができる。
【００６２】
このように、上結合手段１６０は下層の７つの電池セル１０１の間で、上保持枠部材１４１に形成された６つの締結ボス部１６１と、中保持枠部材１３１に形成された６つの締結ボス部１６２を６本の締結ねじ１６３で締め付けることにより、上層の７つの電池セル１０１の外径にばらつきがある場合でも、各電池セル１０１の近傍を締め付けて均一に保持固定することができる。また、下結合手段１５０は下層の７つの電池セル１０１の間で、下保持枠部材１２１に形成された６つの締結ボス部１５１と、中保持枠部材１３１に形成された６つの締結ボス部１５２を６本の締結ねじ１５３で締め付けることにより、下層の７つの電池セル１０１の外径にばらつきがある場合でも、各電池セル１０１の近傍を締め付けて均一に保持固定することができる。このため、上結合手段１６０、下結合手段１５０により結合された保持枠部材で挟まれた電池セル配列体１０３では、電池セル１０１が振動等により微動することが防止され、電池セル１０１の電極に溶接等で接続された導電部材１９１の溶接部への負荷を低減することができる。
【００６３】
保持ケース１１１を構成する下保持枠部材１２１、中保持枠部材１３１、上保持枠部材１４１には、下保持枠部材１２１と中保持枠部材１３１との部材同士、及び、中保持枠部材１３１と上保持枠部材１４１との部材同士を正確に組み付けるための位置決め手段１７０が設けてある。
【００６４】
この位置決め手段１７０は対向する一方の部材の対向面に形成された凸部と、他方の部材の対向面に形成され前記凸部が嵌合する凹部で構成される。一例として、中保持枠部材１３１と上保持枠部材１４１の四隅の対向する面にも、同様に位置決め手段として上保持枠部材１４１から下方に向けて凸部１７１が突出形成され、中保持枠部材１３１には凸部１７１が嵌合する上部開口の凹部１７２が形成されている。凸部１７１と凹部１７２もそれぞれ４つずつ形成され、中保持枠部材１３１と上保持枠部材１４１を決められた位置関係となるように設定することができ、上結合手段１６０の上締結ねじ１６３のねじ込みが容易に行える。
【００６５】
また、下保持枠部材１２１と中保持枠部材１３１の四隅の対向する面には、中保持枠部材１３１から下方に向けて凸部１７１が突出形成され、下保持枠部材１２１には凸部１７１が嵌合する上部開口の凹部１７２が形成されている。凸部１７１と凹部１７２はそれぞれ４つずつ形成され、下保持枠部材１２１と中保持枠部材１３１を決められた位置関係となるように設定することができ、下結合手段１７０の下締結ねじ１５３のねじ込みが容易に行える。なお、凸部と凹部は逆に形成してもよく、凸部と凹部を適宜組み合わせることで、３つの部材１２１，１３１，１４１の誤組み立てを防止することができる。
【００６６】
次に、上記構成を有する保持ケース１１１の組み立て方法について図６，７，１０を参照して以下に説明する。まず、下保持枠部材１２１の上方から電池セル１０１を挿入して、各下層下保持部１２４にそれぞれ保持させる。各電池セル１０１は、各電池セル１０１の正極が、保持ケース１１１の短手方向一方側に位置するように整列して保持され、下層の電池セル配列体１０３Ｌを構成する。各電池セル１０１は下保持枠部材１２１に挿入される際に、正極、負極に隣接する外周面に細幅で弾性接着剤が塗布され、接着層１０５（図１０参照）が形成される。
【００６７】
次いで、下保持枠部材１２１の上に中保持枠部材１３１を重ね合わせて、下保持枠部材１２１の下縦壁面部１２３、１２３から側方に突出して形成された締結ボス部１５１と、中保持枠部材１３１の一対の中縦壁面部１３２、１３２から側方に突出して形成された締結ボス部１５２とを重ね合わせ、下方の締結ボス部１５１から下締結ネジ１５３を挿入して上方の締結ボス部１５２にねじ込むことで両締結ボス部を連結することができる。この際、下保持枠部材１２１と中保持枠部材１３１とは、位置決め手段を構成する凸部１７１を凹部１７２に嵌合させることで容易に位置決めでき、締結ボス部１５１，１５２の位置合わせが容易で下締結ねじ１５３の挿通が容易に行える。この下締結ねじ１５３のねじ込み操作を片側６本、両側で１２本実施することで、下保持枠部材１２１に中保持枠部材１３１を結合することができる。
【００６８】
なお、下締結ねじ１５３のねじ込む方向は下から上に限られるものでなく、上から下でもよいことは勿論である。これにより、下保持枠部材１２１と中保持枠部材１３１は、下保持枠部材１２１と中保持枠部材１３１の間に複数の電池セル１０１を保持した状態で互いに結合される。また、電池セル１０１は下保持枠部材１２１及び中保持枠部材１３１と、電池セル１０１の外周面との間に接着層１０５が形成され、３点保持と共に接着層で固定される。
【００６９】
そして、中保持枠部材１３１の上方から電池セル１０１を挿入して、中保持枠部材１３１の各上層下保持部１３６にそれぞれ保持させる。各電池セル１０１は、各電池セル１０１の正極端子が、保持ケース１１１の短手方向他方側に位置するように整列して保持され、上層の電池セル配列体１０３Ｕを構成する。この場合も、各電池セル１０１は中保持枠部材１３１に挿入される際に、正極、負極に隣接する外周面に細幅で弾性接着剤が塗布され、接着層１０５（図１０参照）が形成される。
【００７０】
それから、中保持枠部材１３１の上に上保持枠部材１４１を重ね合わせて、中保持枠部材１３１の中縦壁面部１３２、１３２から側方に突出して形成された締結ボス部１６１と、上保持枠部材１４１の一対の上縦壁面部１４３、１４３から側方に突出して形成された締結ボス部１６２とを重ね合わせ、上方の締結ボス部１６２から上締結ネジ１６３を挿入して下方の締結ボス部１６１にねじ込むことで両締結ボス部を連結することができる。
【００７１】
この際も、中保持枠部材１３１と上保持枠部材１４１とは、位置決め手段を構成する凸部１７１を凹部１７２に嵌合させることで容易に位置決めでき、締結ボス部１６１，１６２の位置合わせが容易で上締結ねじ１６３の挿通が容易に行える。この上締結ねじ１６３のねじ込み操作を片側６本、両側で１２本実施することで、中保持枠部材１３１に上保持枠部材１４１を結合することができる。
【００７２】
なお、上締結ねじ１６３のねじ込む方向は上から下に限られるものでなく、下から上でもよいことは勿論である。これにより、中保持枠部材１３１と上保持枠部材１４１は、中保持枠部材１３１と上保持枠部材１４１の間に複数の電池セル１０１を保持した状態で互いに結合される。また、電池セル１０１は中保持枠部材１３１及び上保持枠部材１４１と、電池セル１０１の外周面との間に接着層１０５が形成され、３点保持と共に接着層で固定される。
【００７３】
上記した保持ケース１１１の組み立て方法によれば、保持ケース１１１を組み立てる途中で、下保持枠部材１２１、中保持枠部材１３１、上保持枠部材１４１の上下をひっくり返したりすることなく、保持ケース１１１の下部から上部に向かって順番に組み立てることができる。したがって、電池ブロック４０の組み立てを容易にすることができ、工数の削減により製造コストを削減することができる。
【００７４】
電池ブロック４０は、保持ケース１１１が組み立てられて図８に示す状態にされると、次いで、導電部材１９１と電圧検出基板２０１、２０２が取り付けられる。導電部材１９１は、保持ケース１１１内に保持された各電池セル１０１を溶接等で電気的に直列に接続して組電池とするものであり、図８に示すように、保持ケース１１１の両側の縦壁面部１１４、１１４にそれぞれ取り付けられる。
【００７５】
そして、導電部材１９１は、下保持枠部材１２１の開口窓部１２５と中保持枠部材１３１の開口窓部１３５からなる円形の開口を通して、下層の各電池セル１０１の端部に一端が電気的に接続され、中保持枠部材１３１の開口窓部１３７と上保持枠部材１４１の開口窓部１４５からなる円形の開口を通して、下層の各電池セル１０１の長手方向斜め上方に位置する上層の各電池セル１０１の端部に他端が電気的に接続され、上下の電池セル１０１同士を直列に接続する。導電部材１９１の略中央位置には、電圧検出基板の電圧検出端子に電気的に接続するための接続端子１９２が設けられている。
【００７６】
電池ブロック４０の正極端子４０Ａは、上層の電池セル配列体１０３Ｕのうち、下層の電池セル配列体１０３Ｌよりも長手方向に突出した位置に配置される電池セル１０１の電極に接続されている。そして、電池ブロック４０の負極端子４０Ｂは、下層の電池セル配列体１０３Ｌのうち、上層の電池セル配列体１０３Ｕよりも長手方向に突出した位置に配置される電池セル１０１の電極に接続されている。すなわち、正極端子４０Ａは、直列に接続された１４個の電池セル１０１の一方の正極の引出し電極として機能し、負極端子４０Ｂは、１４個の電池セル１０１の一方の負極の引出し電極として機能するものである。
【００７７】
電圧検出基板２０１、２０２は、各導電部材１９１が取り付けられた後、これらの導電部材１９１の横に重ね合わせるように、保持ケース１１１の両側の縦壁面部１１４、１１４に沿ってそれぞれ取り付けられる。本実施の形態では、電圧検出基板２０１、２０２は、保持ケース１１１に複数本の止めビス１９３でビス留めされる。
【００７８】
電圧検出基板２０１、２０２は、各電池セル１０１の電圧を検出する電圧検出回路を有している。電圧検出基板２０１、２０２は、例えば一定幅で延在する帯板形状を有しており、電圧検出基板２０１、２０２の一方端部には、電圧検出線（図示せず）を接続するためのコネクタ（図示せず）等が設けられている。
【００７９】
電圧検出基板２０１、２０２には、縦壁面部１１４に取り付けられた状態で各導電部材１９１の略中央部分に対向する部位に開口部２０３がそれぞれ形成されている。各開口部２０３には、導電部材１９１の接続端子１９２に電気的に接続される電圧検出端子２０４が突出して設けられている。接続端子１９２と電圧検出端子２０４との接続は複数の端子ねじ１９４をねじ込むことで行う。
【００８０】
電圧検出端子２０４は、電圧検出基板２０１、２０２を長手方向にひっくり返して長手方向一方側と他方側を入れ替えた状態で取り付けた場合でも、各導電部材１９１に接続できるように、各導電部材１９１の略中央位置に対向する位置にそれぞれ配置されるようになっている。電圧検出基板２０１、２０２には、他に図示していない素子や、コネクタ、接続端子等が取り付けられているが、これらについては省略する。なお、本実施の形態では、２つの電圧検出基板は外形が異なるものであるが、外形を同一形状とすると共に、同じ配線パターンとして相互に交換できるものとすると、組み立て施工が容易に行える。
【００８１】
次に、本発明に係る温度検出センサを用いた二次電池モジュ−ルのセル温度測定の一実施形態を図面に基づき詳細に説明する。まず、図１４〜図１７を用いて、温度検出センサを用いた電池ブロックの全体構成について説明する。
【００８２】
図１４は、電圧検出基板２０１が取り付けられた電池ブロック４０の斜視図、図１５は、電圧検出基板２０１が取り外された一つの電池ブロック４０の斜視図、図１６は、電圧検出基板２０１が取り外された他の一つの電池ブロック４０の斜視図、図１７は、電池ブロックのセンサ保持部における縦断面図である。
【００８３】
電池ブロック４０は、保持ケース１１１によって複数の電池セル１０１を、各電池セル１０１の一部が保持ケース１１１の外部に露出した状態で保持している。電池セル１０１は、円筒形状を有しており、保持ケース１１１は、複数の電池セル１０１を並列に並べて各電池セル１０１の一方と他方の端面１０１ａを保持ケース１１１の一方と他方の側面にそれぞれ露出させた状態で保持している。電池セル１０１の端面１０１ａには、導電部材１９１が接合されており、電池セル１０１の端面１０１ａでかつ導電部材１９１の側方位置に外部露出部が形成されている。保持ケース１１１は、保持ケース１１１のケース内部に電池セル１０１が露出して冷媒が通過する冷却通路を有している。
【００８４】
電圧検出基板２０１は、保持ケース１１１の両側面にそれぞれ対向して取り付けられており、温度検出センサ３０１のコネクタが接続されるソケット２０５（図８を参照）が設けられている。
【００８５】
電池ブロック４０には、電池セル１０１に押接されて電池セル１０１の温度を検出する温度検出センサ３０１が取り付けられている。温度検出センサ３０１は、電池ブロック４０に保持された複数の電池セル１０１のうち、配列方向一方側と他方側に配置された２つの電池セル１０１の温度を検出するように対をなして設けられており、例えば図１４に示すように、電池ブロック４０内に形成される冷媒流路の最も上流側に配置される電池セル１０１の温度と、最も下流側に配置される電池セル１０１の温度をそれぞれ検出するようになっている。
【００８６】
温度検出センサ３０１は、保持ケース１１１に設けられたセンサ保持部２１１に保持されている。温度検出センサ３０１は、図１７に示すように、保持ケース１１１から露出する電池セル１０１の端面１０１ａ（外部露出部）に押接された状態に保持されている。
【００８７】
センサ保持部２１１は、保持ケース１１１の側面に露出する電池セル１０１の端面１０１ａに対向する位置に設けられている。センサ保持部２１１は、図１５に示すように、下保持枠部材１２１の一方の側面にて、長手方向に離れて対をなして設けられている。そして、図１６に示すように、上保持枠部材１４１の他方の側面にて、長手方向に離れて対をなして設けられている。
【００８８】
温度検出センサ３０１は、長手方向に離れて対をなす２つのセンサ保持部２１１のうち、いずれか一方に選択的に配置される。例えば図１５に示す例では、下保持枠部材１２１の冷媒流路上流側に配置されるセンサ保持部２１１に、上流側の温度検出センサ３０１が保持され、上保持枠部材１４１の冷媒流路下流側に配置されるセンサ保持部２１１に、下流側の温度検出センサ３０１が保持される。また、例えば図１６に示す例では、上保持枠部材１４１の冷媒流路上流側に配置されるセンサ保持部２１１に、上流側の温度検出センサ３０１が保持され、下保持枠部材１２１の冷媒流路下流側に配置されるセンサ保持部（図示せず）に、下流側の温度検出センサ（図示せず）が保持される。
【００８９】
図１８は、図１７のＤ部を拡大して示す図、図１９は、センサ保持部に温度検出センサを保持した状態を示す横断面図である。
【００９０】
センサ保持部２１１は、例えば図１９に示すように、互いに対向する一対の保持溝２１２を有している。各保持溝２１２は、保持ケース１１１の側面に沿って上下方向に形成されている。各保持溝２１２の端部は、底板２１３によって閉塞されている。図１８に示すように、底板２１３には、温度検出センサ３０１の係止爪３０３ａが挿入されて係止される係止穴２１３ａが設けられている。
【００９１】
温度検出センサ３０１は、温度検出素子であるサーミスタ（図示せず）を一体にモールド成形したセンサ本体３１１と、センサ本体３１１から延出して弾性変形することによりセンサ本体３１１を電池セル１０１の端面に押接する方向に付勢する弾性片３２１とを有している。センサ本体３１１は、電池セル１０１の端面に押接される押接面３１１ａが形成されている。
【００９２】
センサ本体３１１には、電圧検出基板２０１、２０２との間を接続する信号線３１２が接続されている。信号線３１２の先端には、電圧検出基板２０１、２０２のソケットに着脱可能に挿入されて接続されるコネクタ３１３が取り付けられている。
【００９３】
弾性片３２１は、センサ本体３１１に一体に形成されており、押接面３１１ａと略平行でかつ互いに離反する方向に延出して、各先端がそれぞれセンサ保持部２１１の保持溝２１２に挿入されて保持される。そして、弾性変形による弾性力でセンサ本体３１１を電池セル１０１に向かって付勢して、押接面３１１ａを電池セル１０１の端面に押接する位置に配置する。弾性片３２１には、図１８に示すように、係止爪３２１ａが設けられている。係止爪３２１ａは、各弾性片３２１の先端をそれぞれ保持溝２１２に挿入してセンサ本体３１１を電池セル１０１の端面に押接する位置に配置することによって、センサ保持部２１１の係止穴２１３ａに挿入されて係止される。センサ本体３１１の押接面３１１ａと電池セル１０１の端面との間には接着剤が塗布されており、互いに接着される。
【００９４】
図２０は、温度検出センサの取付方法を説明する図、図２１は、温度検出センサの取付状態を示す斜視図、図２２は、電圧検出基板の取付状態を示す斜視図、図２３は、図２２のＥ方向矢視図である。
【００９５】
温度検出センサ３０１を取り付ける場合、センサ本体３１１の押接面３１１ａに接着剤が塗布される。そして、図２０及び図２１に示すように、センサ本体３１１をセンサ保持部２１１に挿入し、一対の弾性片３２１の先端を各保持溝２１２にそれぞれ挿入する。そして、係止爪３０３ａを底板２１３の係止穴２１３ａに挿入して係止する（図１８を参照）。
【００９６】
温度検出センサ３０１は、保持ケース１１１の外側で、センサ本体３１１の押接面３１１ａを所定の押圧力で電池セル１０１の端面１０１ａに押圧接触された状態に保持される。そして、接着剤の硬化により、センサ本体３１１の押接面３１１ａが電池セル１０１の端面に接着される。
【００９７】
次いで、図２２及び図２３に示すように、電圧検出基板２０２を保持ケース１１１に締結し、コネクタ３１３を電圧検出基板２０２のソケットに挿入して、温度検出センサ３０１と電圧検出基板２０２を接続する。温度検出センサ３０１で測定した温度信号は、信号線３１２を通じて電圧検出基板２０２に伝達される。したがって、温度検出センサ３０１は、電池セル１０１の端面の温度を、センサ本体３１１の押接面３１１ａから測定することができる。
【００９８】
上記した温度検出センサ３０１の取付構造によれば、保持ケース１１１の外部に温度検出センサ３０１を取り付けて、保持ケース１１１の外部に露出した電池セル１０１の端面１０１ａにセンサ本体３１１の押接面３１１ａを押圧接触させた状態に保持しているので、保持ケース１１１の内部を通過する冷却空気が温度検出センサ３０１に当たって温度検出に影響を与えるのを防ぐことができ、電池セル１０１の正確な温度を検出することができる。
【００９９】
それから、保持ケース１１１の内部に温度検出センサを設ける構造と比較して、温度検出センサ３０１を挿入して取り付けるための貫通穴を保持ケース１１１に形成する必要がなく、保持ケース１１１の高い密閉性を得ることができる。したがって、保持ケース１１１の内部から冷却空気が漏れるのを防止して、電池セル１０１の高い冷却能力を得ることができる。そして、保持ケースの内部を通過する冷却空気の流れの妨げになるのを防ぎ、冷却空気の圧損の原因となるのを防ぐことができる。
【０１００】
また、接着剤が硬化するまでの間、電池セル１０１に対して温度検出センサ３０１が動かないように保持しておく必要がなく、センサ本体３１１の押接面３１１ａを電池セル１０１の端面に接面させた状態に確実に固定することができる。
【０１０１】
上記した温度検出センサ３０１の取付構造によれば、保持ケース１１１を組み立てた後で、温度検出センサ３０１を後付けで取り付けることができるので、取付作業の作業性と作業効率を向上させることができる。そして、電池ブロック４０に装着した電圧検出基板２０１、２０２に、温度検出センサ３０１の信号線をコネクタによって接続することにより、組立時の配線に自由度を持たせることができる。
【０１０２】
上記した温度検出センサ３０１の取付構造によれば、電池ブロック４０を、保持ケース１１１と温度検出センサ３０１の２ピース構造とし、また、保持ケース１１１に温度検出センサ３０１を後付けして弾性片３２１によって電池セル１０１に押接した状態に保持させる構造としたので、温度検出センサ３０１への伝熱効率の悪化を防ぎ、かつ組立作業性および作業効率の良い電池ブロック４０を得ることができる。
【０１０３】
次に、電池ブロック４０をモジュール筐体２に固定する構成について説明する。
【０１０４】
前記のように構成された複数の電池セル１０１を保持した電池ブロック４０は、組み立てられた状態で長軸の六面体形状の保持ケース１１１の外観を有しており、略直方体の形状を呈している。そして、電池ブロック４０の四隅の角部には、この電池ブロックをモジュール筐体２の下ケース１１内に固定するための固定手段１８０が形成されている。この固定手段について、図４、図１３等を参照して以下に詳細に説明する。
【０１０５】
図４、図１３において、固定手段１８０は、上下方向に貫通する貫通孔を有する円柱状の固定ボス部と、モジュール筐体２の下ケース１１の筐体底壁部２３から鉛直に固定されたスタッドボルト、及び固定ナットで構成されている。具体的には、下保持枠部材１２１の四隅に形成された上下方向に貫通孔を有する固定ボス部１８１と、中保持枠部材１３１の四隅に形成された上下方向に貫通孔を有する固定ボス部１８２と、上保持枠部材１４１の四隅に形成された上下方向に貫通孔を有する固定ボス部１８３と、３つの固定ボス部１８１、１８２、１８３の貫通孔を貫通し、下ケース１１から立設されたスタッドボルト１８４と、スタッドボルトの上端にねじ込まれる止めナット１８５から構成され、スタッドボルトは下ケースの底面に溶接等で固定される。上中下の３つの保持枠体に形成された固定ボス部は、それぞれの対向面が接するように構成されている。スタッドボルト１８４は、電池ブロック１つ当たり４本あり、合計で１２本が立設されている。
【０１０６】
モジュール筐体２の下ケース１１から上方に向けて立設されたスタッドボルト１８４に電池ブロック４０の四隅に形成された固定ボス部１８１、１８２、１８３の貫通孔を順に通し、上端を止めナット１８５で締め付けることで電池ブロック４０をモジュール筐体２内に確実に固定することができる。第１電池ブロック４１、第２電池ブロック４２、第３電池ブロック４３とも、同様に固定ボス部の貫通孔にスタッドボルト１８４を通してナット締めすることで、容易に確実に３つの電池ブロックを下ケース１１内の電池ユニット収容エリア２Ａ内に固定することができる。
【０１０７】
＜モジュール筐体＞
図１３（ａ）はモジュール筐体２の下ケース１１の斜視図である。モジュール筐体２は前記のように、上方が開口する下ケース１１と、下ケース１１の上方開口を閉じる上蓋１２から構成される（図２参照）。下ケース１１は、箱曲げ加工により形成されており、平面視略矩形の筐体底壁部２３と、筐体底壁部２３の４辺で折曲されて垂直に立ち上げられて前後に対峙する筐体前壁部２１及び筐体後壁部３１と左右に対峙する一対の筐体側壁部３３を有している。そして、筐体前壁部２１及び筐体後壁部３１と筐体側壁部３３との間は、溶接加工により気密的に接合されている。下ケース１１は、筐体底壁部２３の外周が上方に立ち上がり、内部に収容空間を形成し、立ち上がり部の上部が水平方向に延出され、フランジ部３６が形成されている。そして、フランジ部３６には上蓋１２を固定するためのビス孔３７が形成されている。
【０１０８】
一方、上蓋１２は、図１、図２に示すように、下ケース１１と同様に略長方形状の金属板材で形成され、外周部は下ケース１１のフランジ部３６と対向するように段差部４０１が形成され、下ケース１１のビス孔３７と対応する位置に貫通孔４０２が形成されている。また、上蓋１２の中央平板部には、長手方向に直交する方向に３本の段差部４０３が形成され、止めねじを通す貫通孔４０４が形成されている。
【０１０９】
下ケース１１内には、横方向に所定間隔をおいて前後方向に延在する４本のリブ４１１〜４１４が設けられている。各リブ４１１〜４１４は、下ケース１１の筐体前壁部２１と筐体後壁部３１との間に亘って平面状に広がる筐体底壁部２３に立設されている。これら４本のリブ４１１〜４１４のうち、第１リブ４１１は、下ケース１１内を横方向一方側と横方向他方側に仕切り、電池ユニット３を収容する電池ユニット収容エリア２Ａと、制御ユニット４を収容する制御ユニット収容エリア２Ｂを形成する（中壁リブ）。
【０１１０】
下ケース１１は、箱曲げ加工によって筐体前壁部２１と筐体後壁部３１と筐体側壁部３３が筐体底壁部２３に対して垂直に立ち上げられた形状を有しているので、金属板材を深絞り加工して壁部が斜めに形成される例と比較して、スペースに無駄がなく、車両内の限られた空間を有効に利用することができ、同一の設置空間に設置した場合に、筐体内の内部スペースをより大きく確保することができる。なお、下ケース１１内に設けられている４本のリブ４１１〜４１４には、複数の穴部が設けられており、軽量化を目的とした肉抜き加工が施されている。また、下ケース１１の下部には、車両の床に固定するための複数のブラケット３８が設けられている。
【０１１１】
第２リブ４１２と第３リブ４１３は、電池ユニット収容エリア２Ａを３つの電池ブロック収容室に区画し、第１リブ４１１と第２リブ４１２との間には、第１電池ブロック４１を収容可能な第１収容室４２１を形成し、第２リブ４１２と第３リブ４１３との間には、第２電池ブロック４２を収容可能な第２収容室４２２を形成する。第４リブ４１４は、筐体側壁部３３に沿って設けられている。
【０１１２】
各リブ４１１〜４１４の上部には、ねじ孔が設けられており、３本のリブ４１１〜４１３は上蓋１２に形成された段差部４０１の位置と一致して配置され、段差部の貫通孔４０２と３本のリブ４１１〜４１３のねじ孔が一致して設けられている。このように上蓋１２は外周の段差部４０１と下ケース１１のフランジ部３６とが対接し、外周をねじ止めされると共に、３本のリブが上蓋の段差部４０１と対接し、ねじによって各リブ４１１〜４１３の上部に締結され、下ケース１１の上部開口を塞ぐようになっている。
【０１１３】
下ケース１１の筐体底壁部２３には、図１３（ａ）に示すように、複数本の浅溝部２４が設けられている。各浅溝部２４は、例えば下ケース１１をプレス成形する際に筐体底壁部２３から下方に突出させることによって形成される。各浅溝部２４は、互いに交差するように前後方向及び横方向に延在して設けられている。横方向に延在する浅溝部２４は、第１収容室４２１から第３収容室４２３の間に亘って連続している。このため、下ケース１１の高い剛性を得ることができ、モジュール筐体２の変形を防ぐことができる。
【０１１４】
下ケース１１の筐体側壁部３３には、ガス排出口が開口して形成されており、ガス排気管３５が接続されている。さらに、筐体前壁部２１の吸気口２２と筐体後壁部３１の排気口３２は、各収容室４２１〜４２３に対応する位置にそれぞれ対をなして形成されている。各電池ブロック４１〜４３は、リブ４１１〜４１４によって横方向の移動が抑制された状態で収容される。
【０１１５】
下ケース１１の筐体底壁部２３に形成された浅溝部２４は、各収容室４２１〜４２３に収容された各電池ブロック４１〜４３の少なくとも一つの電池セル１０１からガスが放出された場合に、放出されたガスを通過させて、ガス排出口に接続されたガス排気管３５を通してモジュール筐体２の外部に排出される。
【０１１６】
前記した構成によれば、下ケース１１の浅溝部２４が第１収容室４２１から第３収容室４２３の間に亘って連続して形成されており、３つの収容室が連通しているので、収容室４２１〜４２３に収容されている各電池ブロック４１〜４３の少なくとも一つの電池セル１０１からガスが放出された場合に、浅溝部２４を通過させてガス排気管３５が接続された筐体側壁部３３までガスを流通させることができ、ガス排気管３５からモジュール筐体２の外部に排出させることができる。したがって、モジュール筐体２内で放出されたガスがモジュール筐体２内に滞留して、例えば筐体前壁部２１とケース前端面部１１５との間から電池ブロック４０の保持ケース１１１内に侵入し、あるいは、筐体後壁部３１とケース後端面部１１４との間を通過して、筐体後壁部３１の排気口３２から排出されるのを防ぐことができる。
【０１１７】
また、下ケース１１の筐体底壁部２３には、前後方向及び横方向に延在する浅溝部２４が形成され、かつ、第１リブ４１１から第４リブ４１４が前後方向に延在して設けられているので、下ケース１１の高い剛性を得ることができ、モジュール筐体２の変形を防ぐことができる。
【０１１８】
このように構成された３つの電池ブロック４１〜４３は、モジュール筐体２の電池ユニット収容エリア２Ａに収容され、固定手段１８０で筐体２内に固定される。具体的には電池ブロック４０を構成する上中下の保持枠部材１２１，１３１，１４１の四隅に形成された固定ボス部１８１，１８２，１８３の貫通孔に、下ケース１１の筐体底壁部２３から立設されたスタッドボルト１８４を挿通し、下ケース１１内に３つの電池ブロックを位置決め収容する。
【０１１９】
下ケース１１内に収容固定された３つの電池ブロック４１〜４３は、外部引出し端子である正極端子４０Ａが３つ（４１Ａ，４２Ａ，４３Ａ）、負極端子４０Ｂ（４１Ｂ，４２Ｂ），４０Ｃ（４３Ｃ）が３つ前後方向に位置しているため、３つの正極端子４０Ａを接続するハーネス又はバスバーが、モジュール筐体２内に配置されたハーネスガイド５４Ａ内に配置されるとともに、３つの負極端子４０Ｂ，４０Ｃを接続するハーネス又はバスバーが、モジュール筐体２内に配置されたハーネスガイド５４Ｂ内に配置される。
【０１２０】
前後方向で前側のハーネスガイド５４Ａは、例えば３つの電池ブロックの正極端子４０Ａを接続して制御ユニットエリア２Ｂまで配線を届けるものであり、後側のハーネスガイド５４Ｂは、例えば３つの電池ブロックの負極端子４０Ｂ，４０Ｃを接続して制御ユニットエリア２Ｂまで配線を届けるものである。そして、電源ユニット３の電源ラインは制御ユニットエリア２Ｂで制御ユニット４の所定の端子に接続される。本実施の形態では、止めナット１８５を締める際に、上蓋１２を被せ、上蓋１２の段差部４０１とリブ４１１〜４１３とを重ね、同様に止めナットを締め込むことでモジュール筐体２と複数の電池ブロックとを強固に結合することができる。
【０１２１】
以上、本発明の実施の形態について詳述したが、本発明は、前記の実施の形態に限定されるものではなく、特許請求の範囲に記載された本発明の精神を逸脱しない範囲で、種々の設計変更を行うことができるものである。例えば、上述の実施の形態では、温度検出センサ３０１を、冷却通路の上流側の端部と下流側の端部に配置される２つの電池セル１０１に対して配置する構成について説明したが、いずれか一方でもよく、また、３つ以上の電池セル１０１に対して配置する構成としてもよい。
【０１２２】
また、電池ブロック４０が上層の電池セル配列体１０３Ｕと下層の電池セル配列体１０３Ｌの２層の場合を例に説明したが、３層以上としてもよい。また、電池セル配列体を１層とし、上下に位置する保持部材で挟むように構成してもよい。さらに、本発明に係る二次電池モジュールは、自動車等の車両の用途のみに関わらず、鉄道車両の用途にも適用できるものである。
【符号の説明】
【０１２３】
１…リチウムイオンバッテリ装置（二次電池モジュール、蓄電装置）、２…モジュール筐体（筐体）、１１…下ケース、１２…上蓋、３…電池ユニット、４…制御ユニット、４０…電池ブロック、４０Ａ…正極端子（外部引出し端子）、４０Ｂ…負極端子（外部引出し端子）、４０Ｃ…負極端子（外部引出し端子）、１０１…電池セル、１０１ａ…電池セルの端面、１０２…ダミーセル、１０５…接着層、１１１…保持ケース、１２１…下保持枠部材（下層保持部材）、１２６，１４６…押圧部、１３１…中保持枠部材（中間保持部材）、１３８，１３９…突起部、１４１…上保持枠部材（上層保持部材）、１５０，１６０…締結手段、１７０…位置決め手段、１７１…凸部（位置決め凸部）、１７２…凹部（位置決め凹部）、１８０…固定手段、１８４…スタッドボルト、２０１、２０２…電圧検出基板、２１１…センサ保持部、３０１…温度検出センサ、３１１…センサ本体、３２１…弾性片、３１３…コネクタ
【図１】
0005873210.tif 000002
【図２】
0005873210.tif 000003
【図３】
0005873210.tif 000004
【図４】
0005873210.tif 000005
【図５】
0005873210.tif 000006
【図６】
0005873210.tif 000007
【図７】
0005873210.tif 000008
【図８】
0005873210.tif 000009
【図９】
0005873210.tif 000010
【図１０】
0005873210.tif 000011
【図１１】
0005873210.tif 000012
【図１２】
0005873210.tif 000013
【図１３】
0005873210.tif 000014
【図１４】
0005873210.tif 000015
【図１５】
0005873210.tif 000016
【図１６】
0005873210.tif 000017
【図１７】
0005873210.tif 000018
【図１８】
0005873210.tif 000019
【図１９】
0005873210.tif 000020
【図２０】
0005873210.tif 000021
【図２１】
0005873210.tif 000022
【図２２】
0005873210.tif 000023
【図２３】
0005873210.tif 000024